(57)【要約】【課題】  予めアッパマウント部材を装着したラジエータコアサポートに対して熱交換器を容易に固定可能な固定構造を実現でき、これら両者の固定に掛かる時間と手間を大幅に削減できるラジエータコアサポートと熱交換器の固定構造の提供。【解決手段】  上側固定孔６ａ（６ｂ）に略円筒状のアッパマウント部材３を装着する一方、下側固定孔６ｃ（６ｄ）に略円筒状のロアマウント部材４を装着し、先端部８を基部７から分離した状態とした熱交換器２の下側支持ピン５ｃ（５ｄ）をロアマント部材４の中心孔４ａに斜め上方から挿入した後、該熱交換器２を起立させると共に、該基部７をアッパマウント部材３の中心孔３ａの下端部３ｄに挿入して該熱交換器２を仮保持させた状態とし、先端部８をアッパマウント部材３の中心孔３ａに上方から挿入して基部７と結合した。【選択図】      図１
2007313987.tif 000002
【特許請求の範囲】
【請求項１】
熱交換器の上端部に上方に突出する上側支持ピンを設ける一方、下端部に下方へ突出する下側支持ピンを設け、
前記上側支持ピンを熱交換器側の基部と、この基部と結合・分離可能な先端部で構成し、
ラジエータコアサポートにおけるラジエータコアサポートアッパの上側支持ピンと対応する位置に上下方向に開口する上側固定孔を設ける一方、ラジエータコアサポートロアの下側支持ピンと対応する位置に上下方向に開口する下側固定孔を設け、
前記上側固定孔に略円筒状のアッパマウント部材を装着する一方、下側固定孔に略円筒状のロアマウント部材を装着し、
前記先端部を基部から分離した状態とした熱交換器の下側支持ピンをロアマント部材の中心孔に斜め上方から挿入した後、該熱交換器を起立させると共に、該基部をアッパマウント部材の中心孔の下端部に挿入して該熱交換器を仮保持させた状態とし、
前記先端部をアッパマウント部材の中心孔に上方から挿入して基部と結合したことを特徴とするラジエータコアサポートと熱交換器の固定構造。
【請求項２】
請求項１記載のラジエータコアサポートと熱交換器の固定構造において、
前記上側支持ピンにおける先端部の長さを基部よりも長く形成したことを特徴とするラジエータコアサポートと熱交換器の固定構造。
【発明の詳細な説明】
【技術分野】
【０００１】
本発明は、ラジエータコアサポートと熱交換器の固定構造に関する。
【背景技術】
【０００２】
従来、ラジエータコアサポートと熱交換器の固定を固定する際には、ラジエータコアサポートロアの下側固定孔にロアマウント部材を装着し、このロアマウント部材の中心孔に熱交換器の下側支持ピンを斜め上方より挿入して該熱交換器を傾斜させた状態として、該熱交換器の上側支持ピンにアッパマウント部材とキャップを装着した後、該熱交換器を起立させて該キャップとラジエータコアサポートアッパに設けられたアッパブラケットとを固定していた（特許文献１参照）。
【特許文献１】特開２００３−２７９２８５号公報
【発明の開示】
【発明が解決しようとする課題】
【０００３】
しかしながら、従来のラジエータコアサポートと熱交換器の固定構造にあっては、熱交換器の上側支持ピンにアッパマウント部材とキャップを装着する際に、作業者は一方の手で熱交換器を傾斜させた状態に維持しながら他方の手で上記作業を行わなければならない上、キャップがアッパマウント部材から位置ずれしたり脱落する虞があるため、時間と手間が大変掛かっていた。
【０００４】
本発明は上記課題を解決するためになされたものであって、その目的とするところは、予めアッパマウント部材を装着したラジエータコアサポートに対して熱交換器を容易に固定可能な固定構造を実現でき、これら両者の固定に掛かる時間と手間を大幅に削減できるラジエータコアサポートと熱交換器の固定構造を提供することである。
【課題を解決するための手段】
【０００５】
本発明の請求項１記載の発明では、熱交換器の上端部に上方に突出する上側支持ピンを設ける一方、下端部に下方へ突出する下側支持ピンを設け、前記上側支持ピンを熱交換器側の基部と、この基部と結合・分離可能な先端部で構成し、ラジエータコアサポートにおけるラジエータコアサポートアッパの上側支持ピンと対応する位置に上下方向に開口する上側固定孔を設ける一方、ラジエータコアサポートロアの下側支持ピンと対応する位置に上下方向に開口する下側固定孔を設け、前記上側固定孔に略円筒状のアッパマウント部材を装着する一方、下側固定孔に略円筒状のロアマウント部材を装着し、前記先端部を基部から分離した状態とした熱交換器の下側支持ピンをロアマント部材の中心孔に斜め上方から挿入した後、該熱交換器を起立させると共に、該基部をアッパマウント部材の中心孔の下端部に挿入して該熱交換器を仮保持させた状態とし、前記先端部をアッパマウント部材の中心孔に上方から挿入して基部と結合したことを特徴とする。
【発明の効果】
【０００６】
本発明の請求項１記載の発明にあっては、熱交換器の上端部に上方に突出する上側支持ピンを設ける一方、下端部に下方へ突出する下側支持ピンを設け、前記上側支持ピンを熱交換器側の基部と、この基部と結合・分離可能な先端部で構成し、ラジエータコアサポートにおけるラジエータコアサポートアッパの上側支持ピンと対応する位置に上下方向に開口する上側固定孔を設ける一方、ラジエータコアサポートロアの下側支持ピンと対応する位置に上下方向に開口する下側固定孔を設け、前記上側固定孔に略円筒状のアッパマウント部材を装着する一方、下側固定孔に略円筒状のロアマウント部材を装着し、前記先端部を基部から分離した状態とした熱交換器の下側支持ピンをロアマント部材の中心孔に斜め上方から挿入した後、該熱交換器を起立させると共に、該基部をアッパマウント部材の中心孔の下端部に挿入して該熱交換器を仮保持させた状態とし、前記先端部をアッパマウント部材の中心孔に上方から挿入して基部と結合したため、予めアッパマウント部材を装着したラジエータコアサポートに対して熱交換器を容易に固定可能な固定構造を実現でき、これら両者の固定に掛かる時間と手間を大幅に削減できる。
【発明を実施するための最良の形態】
【０００７】
以下、この発明の実施例を図面に基づいて説明する。
【実施例１】
【０００８】
以下、実施例１を説明する。
なお、車両前後方向及び車幅方向を前後方向及び左右方向と称して説明する。
図１は本発明の実施例１のラジエータコアサポートと熱交換器の固定構造を示す全体斜視図、図２はラジエータコアサポートの斜視図、図３は熱交換器の斜視図、図４は熱交換器の上側支持ピンの分解図、図５は同斜視図、図６は先端部の正面図、図７は同斜視図である。
【０００９】
図８はアッパマウント部材の正面図、図９は同平面図、図１０は底面図、図１１は同斜視図、図１２はロアマウント部材の正面図、図１３は同平面図、図１４は同底面図、図１５は同斜視図、図１６は基部と先端部の固定を説明する図である。
【００１０】
先ず、全体構成を説明する。
図１に示すように、本実施例１のラジエータコアサポートと熱交換器の固定構造では、ラジエータコアサポート１と、熱交換器２と、アッパマウント部材３と、ロアマウント部材４が備えられている。
【００１１】
図２に示すように、ラジエータコアサポート１は、車幅方向に延設されたラジエータコアサポートアッパ１ａと、ラジエータコアサポートアッパ１ａと並行するラジエータコアサポートロア１ｂと、ラジエータコアサポートアッパ１ａとラジエータコアサポートロア１ｂの両端部同士を結合するラジエータコアサポートサイド1c,1dと、ラジエータコアサポートアッパ１ａとラジエータコアサポートロア１ｂの中央部同士を結合するフードロックステイ１ｅと、これらラジエータコアサポートアッパ１ａ、ラジエータコアサポートロア１ｂ、ラジエータコアサポートサイド1c,1d、フードロックステイ１ｅの内側に設けられたシュラウド部１ｆから構成され、全体が樹脂で一体的に形成されている。
【００１２】
ラジエータコアサポートアッパ１ａは、後方側に開口した略コ字状断面を成して車幅方向に延在される他、その中央部には図外のフードロックを固定するためのフードロック取り付け部１ｇが後方側へ窪んだ状態で形成され、その左右両側には前方へ張り出した平板状の延設部1h,1iが形成されている。
また、延設部1h,1iにおける後述する熱交換器２の上側支持ピン6a,6bと対応する位置には、上下方向に開口した円形状の上側固定孔5a,5bが形成されている。
【００１３】
従って、ラジエータコアサポートアッパの熱交換器２の上側支持ピン6a,6b付近において、従来の発明のように前後方向に切欠される部位がないため、射出成形直後にラジエータコアサポート１が冷える際に変形する所謂反りが発生する虞がなく、ラジエータコアサポート１全体の寸法精度を高くして製品信頼性を向上できる。
【００１４】
ラジエータコアサポートロア１ｂは、前方側に開口した略コ字状断面を成して車幅方向に延在される他、後述する熱交換器２の下側支持ピン6c,6dと対応する位置には、該コ字状断面の上面を貫通した状態で上下方向に開口した円形状の下側固定孔5c,5dが形成されている。
【００１５】
その他、本実施例１のフードロック取り付け部１ｇの左右両側にはエンジンの吸気ダクト等が臨んだ状態で設けられる開口部Ｏ１が複数形成されている。
また、シュラウド部１ｆにおけるフードロックステイ１ｅの左右両側には、図外の一対のファンが臨んだ状態で配置されるファン開口部Ｏ２がそれぞれ形成されている。
【００１６】
図３に示すように、熱交換器２は、アルミ製のコア部２ａと、このコア部２ａの左右に一対の樹脂製のタンク2b,2cが配置された所謂パラレルフロー型のラジエータが採用されている。
【００１７】
コア部２ａは、両端部がタンク2b,2cと重ねられたチューブプレート2d,2eに挿通し固定された複数の偏平管状のチューブＴ（図１６参照）と、隣接するチューブ同士の間に配置された波状のフィンＦ（図１６参照）で構成される他、両端部がチューブプレート2d,2eに挿通し固定された一対のレインフォースR1,R2で連結補強されている。
【００１８】
タンク2b,2cは合成樹脂を素材としてコア部２側へ開口した器状に形成されると共に、該開口端部がそれぞれ対応するチューブプレート2d,2eにシール部材（図示を省略）を介して重ねられている。
また、タンク２ｂの後面には該タンク２ｂの内部と連通した入力ポートＰ１が設けられる一方、タンク２ｃの後面には該タンク２ｃの内部と連通した出力ポートＰ２が設けられている。
また、タンク2b,2cの上端部には上方へ突出した円柱状の上側支持ピン6a,6bが設けられる一方、下端部には下方へ突出した円柱状の下側支持ピン6c,6dが設けられている。
【００１９】
図４、５に示すように、本実施例１の上側支持ピン６ｂ（６ａ）は、基部７と、この基部７と結合・分離可能な先端部８で構成されている。
具体的には、基部７はタンク２ｃの上部に形成された略円盤状の台座９から円柱状に突出した状態で設けられる他、その上面には下方へ延設された雌螺子溝７ａが形成されている。
【００２０】
図６、７に示すように、先端部８は、基部７と同径の円柱状に形成される他、その下部は縮径されてここに上記雌螺子溝７ａに上方から挿入して螺合可能な雄螺子溝８ａが形成され、これによって、基部７に対して結合・分離可能となっている。
その他、先端部８の上部には上記螺合の際にドライバ工具を結合するための十字状の溝８ｂが形成されている。
なお、基部７と先端部８の結合・分離可能な構造については適宜設定できる。同様に、先端部８は樹脂製に限らず、金属製としても良い。
【００２１】
図８〜１１に示すように、アッパマウント部材３は、ゴム等の弾性素材を用いて略円筒状に形成される他、その中心にはそれぞれ対応する上側支持ピン6a,6bの外径と略等しい大きさの中心孔３ａが形成され、その外周にはそれぞれ対応するラジエータコアサポートアッパの上側固定孔5a,5bに嵌合するための係止段部３ｂが形成され、その下部には縮径した縮径部３ｃが形成されている。
【００２２】
図１２〜１５に示すように、ロアマウント部材４は、ゴム等の弾性素材を用いて略円筒状に形成される他、その中心にはそれぞれ対応する下側支持ピン6c,6dの外径と略等しい大きさの中心孔４ａが形成され、その外周にはそれぞれ対応するラジエータコアサポートアッパの上側固定孔5c,5dに嵌合するための係止段部４ｂが形成されている。
【００２３】
次に、作用を説明する。
このように構成されたラジエータコアサポート１、ラジエータ２、アッパマウント部材３、ロアマウント部材４を組み付ける際には、先ず、ラジエータコアサポートアッパ１ａの左右両端部において、上側固定孔5a,5bにそれぞれアッパマウント部材３の係止段部３ｂを嵌合させて装着する一方、ラジエータコアサポートロア１ｂの左右両端部において、下側固定孔5c,5dにそれぞれロアマウント部材４の係止段部４ｂを嵌合させて装着する。
【００２４】
次に、上側支持ピン6a,6bの先端部８を基部７から分離した状態とした熱交換器２の下側支持ピン6c,6dをそれぞれ対応するロアマント部材４の中心孔４ａに斜め上方から挿入した後、該熱交換器２を起立させると共に、各基部７をそれぞれ対応するアッパマウント部材３の中心孔３ａの下端部３ｄに挿入して該熱交換器２を仮保持させた状態とする。
この際、図１６（ａ）に示すように、アッパマウント部材３の中心孔３ａの下端部は、縮径された縮径部３ｃが形成されているため、該縮径部３ｃを容易に変形させながら基部７を挿入して保持させた状態とした後、再び復元させて該基部７を弾性的に保持できる。
【００２５】
すなわち、下側支持ピン6c,6dをそれぞれ対応するロアマント部材４の中心孔４ａに斜め上方から挿入したときにロアマウント部材４を押し付けて弾性変形させ、その結果、基部７の先端位置が相対的に下方になる。これにより、基部７の先端は縮径部３ｃの下側を通った後、ロアマウント部材４の弾性復帰により中心孔３ａに保持可能となる。
あるいは、ロアマウント部材４の弾性変形が期待できない構造であっても、基部７の先端は縮径部３ｃを弾性変形させて中心孔３ａに保持させることもできる。
要は、上側支持ピン6a,6bの先端部８を基部７から分離した状態とした熱交換器２の取付け時に、基部７の先端が中心孔３ａに入って、仮保持できるようになっていれば良い。
また、上側支持ピン6a,6bの先端部８を基部７から分離させた状態としたため、熱交換器２を起立させる際にラジエータコアサポートアッパ１ａとの必要クリアランスを小さくできる。
【００２６】
これによって、従来の発明に比べてコア部２ａの高さ方向のサイズを大きくした熱交換器２を採用して冷却性能を向上できると同時に、ラジエータコアサポートアッパ１ａとの隙間を小さくしてシール性能を向上できる。
【００２７】
次に、図１６（ｂ）、（ｃ）に示すように、熱交換器２の左右上端部において、先端部８をアッパマウント部材３の中心孔３ａに上方から挿入して雄螺子溝８ａを基部７の雌螺子溝７ａに螺合して結合することにより、熱交換器２をラジエータコアサポート１に両マウント部材3,4を介して弾性支持させた状態で固定する（図１参照）。
この際、上側支持ピン6a,6bがそれぞれ対応するアッパマウント部材３の中心孔３ａから脱落するのを先端部８によって防止でき、熱交換器２を安定した状態で固定できる。
また、熱交換器２を脱着する際には上述した手順を逆に行うことで容易に行うことができる。
なお、本実施例１では、基部７の上部がアッパマウント部材３の中心孔３ａから幾分突出した状態で設けられるがこの限りではない。
【００２８】
次に、効果を説明する。
以上、説明したように、本実施例１のラジエータコアサポート１と熱交換器２の固定構造にあっては、熱交換器２の上端部に上方に突出する上側支持ピン５ａ（５ｂ）を設ける一方、下端部に下方へ突出する下側支持ピン５ｃ（５ｄ）を設け、上側支持ピン５ａ（５ｂ）を熱交換器側２の基部７と、この基部７と結合・分離可能な先端部８で構成し、ラジエータコアサポート１におけるラジエータコアサポートアッパ１ａの上側支持ピン５ａ（５ｂ）と対応する位置に上下方向に開口する上側固定孔６ａ（６ｂ）を設ける一方、ラジエータコアサポートロア１ｂの下側支持ピン５ｃ（５ｄ）と対応する位置に上下方向に開口する下側固定孔６ｃ（６ｄ）を設け、上側固定孔６ａ（６ｂ）に略円筒状のアッパマウント部材３を装着する一方、下側固定孔６ｃ（６ｄ）に略円筒状のロアマウント部材４を装着し、先端部８を基部７から分離した状態とした熱交換器２の下側支持ピン５ｃ（５ｄ）をロアマント部材４の中心孔４ａに斜め上方から挿入した後、該熱交換器２を起立させると共に、該基部７をアッパマウント部材３の中心孔３ａの下端部３ｄに挿入して該熱交換器２を仮保持させた状態とし、先端部８をアッパマウント部材３の中心孔３ａに上方から挿入して基部７と結合したため、予めアッパマウント部材３を装着したラジエータコアサポート１に対して熱交換器２を容易に固定可能な固定構造を実現でき、これら両者の固定に掛かる時間と手間を大幅に削減できる。
【００２９】
また、上側支持ピン5a,5bにおける先端部８の長さを基部７よりも長く形成したため、熱交換器２を起立させる際のラジエータコアサポートアッパ１ａとの必要クリアランスを小さくでき、シール性を向上できる。
【００３０】
また、ラジエータコアサポートアッパ１ａとの必要クリアランスを小さくできることによって、結果的に熱交換器２のコア部２ａの高さ方向のサイズを大きくでき、冷却性能を向上できる。
また、先端部８の長さを基部７よりも短くした場合に比べて基部７をアッパマウント部材３の中心孔３ａに挿入する際の作業性が良い。
【００３１】
以上、本実施例を説明してきたが、本発明は上述の実施例に限られるものではなく、本発明の要旨を逸脱しない範囲の設計変更等があっても、本発明に含まれる。
例えば、基部７と先端部８の結合・分離構造については適宜設定でき、例えば、樹脂の特性を利用した凹凸結合を採用しても良い。
また、熱交換器はラジエータに限らず、ラジエータとコンデンサが一体的に固設された一体型熱交換器、コンデンサ、インタークーラ等の一般的な熱交換器に適用可能である。
【図面の簡単な説明】
【００３２】
【図１】本発明の実施例１のラジエータコアサポートと熱交換器の固定構造を示す全体斜視図である。
【図２】ラジエータコアサポートの斜視図である。
【図３】熱交換器の斜視図である。
【図４】熱交換器の上側支持ピンの分解図である。
【図５】熱交換器の上側支持ピンの斜視図である。
【図６】先端部の正面図である。
【図７】先端部の斜視図である。
【図８】アッパマウント部材の正面図である。
【図９】アッパマウント部材の平面図である。
【図１０】アッパマウント部材の底面図である。
【図１１】アッパマウント部材の斜視図である。
【図１２】ロアマウント部材の正面図である。
【図１３】ロアマウント部材の平面図である。
【図１４】ロアマウント部材の底面図である。
【図１５】ロアマウント部材の斜視図である。
【図１６】基部と先端部の固定を説明する図である。
【符号の説明】
【００３３】
Ｔ  チューブ
Ｆ  フィン
Ｏ１、Ｏ２  ファン開口部
Ｐ１  入力ポート
Ｐ２  出力ポート
１  ラジエータコアサポート
１ａ  ラジエータコアサポートアッパ
１ｂ  ラジエータコアサポートロア
１ｃ、１ｄ  するラジエータコアサポートサイド
１ｅ  フードロックステイ
１ｆ  シュラウド部
１ｇ  フードロック取り付け部
１ｈ、１ｉ  延設部
２  熱交換器
２ａ  コア部
２ｂ、２ｃ  タンク
２ｄ、２ｅ  チューブプレート
３  アッパマウント部材
３ａ  中心孔
３ｂ  係止段部
３ｃ  縮径部
４  ロアマウント部材
４ａ  中心孔
４ｂ  係止段部
５ａ、５ｂ  上側固定孔
５ｃ、５ｄ  下側固定孔
６ａ、６ｂ  上側支持ピン
６ｃ、６ｄ  下側支持ピン
７  基部
７ａ  雌螺子溝
８  先端部
８ａ  雄螺子溝
８ｂ  溝
９  台座
【図１】
2007313987.tif 000003
【図２】
2007313987.tif 000004
【図３】
2007313987.tif 000005
【図４】
2007313987.tif 000006
【図５】
2007313987.tif 000007
【図６】
2007313987.tif 000008
【図７】
2007313987.tif 000009
【図８】
2007313987.tif 000010
【図９】
2007313987.tif 000011
【図１０】
2007313987.tif 000012
【図１１】
2007313987.tif 000013
【図１２】
2007313987.tif 000014
【図１３】
2007313987.tif 000015
【図１４】
2007313987.tif 000016
【図１５】
2007313987.tif 000017
【図１６】
2007313987.tif 000018